(57)【要約】【課題】画像形成装置が備える定着装置において、定着不良の発生を防止するとともに、省電力を図る。【解決手段】画像形成開始時の立ち上げの際、定着ローラの表面温度が所定の温度範囲外にある場合のみ（Ｓ２）、遮断機構部６２を作動して、メインモータから定着ローラへの駆動力の伝達を遮断してから（Ｓ３）、メインモータをオンする（Ｓ４）。そして、像担持体を一定時間回転してプロセス立ち上げを実施して後（Ｓ５、Ｓ６）、メインモータをオフしてから（Ｓ７）、遮断機構部６２の作動を止めて、メインモータから定着ローラへ駆動力の伝達を可能として（Ｓ８）、画像形成スタンバイとする。【選択図】        図３
2004252403.tif 000002
【特許請求の範囲】
【請求項１】
内部に熱源を備える定着回転体と、その定着回転体に押し当てる加圧回転体とを、駆動源からの駆動力を駆動伝達機構部を介して伝達してそれぞれ回転し、回転する前記定着回転体と前記加圧回転体とのニップにシート材を入れて、未定着トナーをシート材に定着する定着装置を備える画像形成装置において、
画像形成開始時の立ち上げの際、前記定着回転体の表面温度が所定の温度範囲外にある場合にのみ、前記駆動源から前記定着回転体への駆動力の伝達を遮断する遮断機構部を作動することを特徴とする、画像形成装置。
【請求項２】
前記画像形成開始時の立ち上げの際が、メイン電源オン時、ジャム処理時、または省エネモード時からの復帰時であることを特徴とする、請求項１に記載の画像形成装置。
【請求項３】
画像形成終了時、像担持体を逆回転する前に、前記遮断機構部を作動して、前記駆動源から前記定着回転体への駆動力の伝達を遮断することを特徴とする、請求項１または２に記載の画像形成装置。
【請求項４】
画像形成終了時、前記像担持体をわずかに逆回転するプレ逆回転をして後、前記遮断機構部を作動して、前記駆動源から前記定着回転体への駆動力の伝達を遮断してから、前記像担持体を逆回転することを特徴とする、請求項３に記載の画像形成装置。
【請求項５】
前記駆動伝達機構部が、前記駆動源からの駆動力を前記定着回転体へ伝達する噛み合い位置と、駆動力の伝達を遮断する非噛み合い位置とに揺動自在な揺動ギアと、その揺動ギアの上流側に設けて前記揺動ギアに噛み合う固定ギアとを備え、
前記プレ逆回転を、前記固定ギアが１ピッチ移動する時間より短い時間で行うことを特徴とする、請求項４に記載の画像形成装置。
【請求項６】
前記駆動源が、モータブレーキを備えることを特徴とする、請求項１ないし５のいずれか１記載の画像形成装置。
【請求項７】
前記画像形成開始時の立ち上げの際、前記像担持体をわずかに逆回転するプレ逆回転をして後、前記遮断機構部を作動して、前記駆動源から前記定着回転体への駆動力の伝達を遮断することを特徴とする、請求項１または２に記載の画像形成装置。
【発明の詳細な説明】
【０００１】
【発明の属する技術分野】
この発明は、例えば、複写機、プリンタ、ファクシミリ、またはそれらの複合機などの、用紙・ＯＨＰフィルム等のシート材に画像を形成する画像形成装置に関する。
【０００２】
【従来の技術】
一般的に、電子写真方式の画像形成装置では、例えば帯電、書込みを行って像担持体に静電潜像を形成し、その静電潜像にトナーを付着して現像することにより可視像化し、その可視像化することにより形成した像担持体上のトナー画像を転写してシート材に画像を形成していた。そして、その画像転写後のシート材を、定着装置を通すことによって未定着トナーをシート材に定着する一方、画像転写後の像担持体をクリーニング装置でクリーニングしていた。
【０００３】
この種の画像形成装置で用いる定着装置は、例えば内部に熱源であるヒーターを備える金属製の定着ローラ（定着回転体）と、その定着ローラに押し当てる弾性材料の加圧ローラ（加圧回転体）とで構成していた。
【０００４】
そして、定着するとき、ヒーターにより定着ローラを定着可能の温度としてから、定着ローラと加圧ローラとのニップにシート材を入れて、熱でシート材上の未定着トナーを溶融させて定着していた。
【０００５】
そのような画像形成装置は、画像形成からの立ち上げの際、例えばメイン電源オン時、または省エネモード時からの復帰時、像担持体まわりのプロセス立ち上げのために、像担持体などを一定時間回転するプレ回転を行う必要があった。
【０００６】
ところで、近年、低コスト化やコンパクト化のため、像担持体や定着ローラ・加圧ローラを回転駆動する駆動源を１つのメインモータによって行う画像形成装置がある。
【０００７】
そのような１つのメインモータを備える画像形成装置において、前述したプレ回転を行うと、定着装置の定着ローラおよび加圧ローラも回転する。そして、その回転に伴い、ヒータによって加えた定着ローラの熱が加圧ローラに奪われてしまい、定着ローラを定着温度とする時間が長くなってしまう問題があった。
【０００８】
【特許文献１】特開２００２−１３９９４９号公報
そこで、そのような問題を解決するため、従来、特許文献１に記載される技術があった。その特許文献１に記載される画像形成装置の一部を図９に示す。
【０００９】
図示する定着装置は、内部に熱源であるヒータ１ａを備える定着ローラ１、それに押し当てる加圧ローラ２などを備える。また、画像形成装置は、不図示のメインモータからの駆動により回転駆動する駆動ギア３、その駆動ギア３からの駆動力を定着ローラ１へ伝達する駆動伝達機構部４、その駆動の伝達を遮断する遮断機構部５などを備える。
【００１０】
その駆動伝達機構部４は、定着ローラ１の不図示の回転軸に設けた定着ギア、その定着ギアと噛み合う揺動ギア４ａ、駆動ギア３および揺動ギア４ａとにそれぞれ噛み合い、揺動ギア４ａの上流側に設ける固定ギア４ｂなどを備えていた。
【００１１】
そして、画像形成開始時の立ち上げの際、常に、遮断機構部５を作動、すなわちソレノイド６をオンして、プランジャ６ａを図中左側へ移動し、揺動ギア４ａを図中左側へ移動して定着ギアから離して、メインモータから定着ローラ１への駆動力の伝達を遮断していた。
【００１２】
その後、定着ローラ１の表面温度が定着可能な温度に達してから、定着ローラ１への駆動力の伝達の遮断を解除、すなわち、ソレノイド６をオフして、プランジャ６ａを図中右側へ移動し、揺動ギア４ａを図中右側へ移動して固定ギア４ｂに噛み合わせて遮断機構部５の作動を止め、メインモータからの駆動力を駆動伝達機構部４で伝達して定着ローラ１および加圧ローラ２を回転するとともに、定着ローラ１と加圧ローラ２とのニップにシート材を入れて、未定着トナーをシート材に定着していた。
【００１３】
【発明が解決しようとする課題】
しかし、定着ローラ１の温度が定着可能の温度になった瞬間に、メインモータからの定着ローラ１への駆動力の伝達を解除して定着ローラ１の駆動を開始すると、実際の画像形成動作で定着が始まったときに加圧ローラ２側に熱が奪われてしまい、一時的に定着ローラ１の温度が下がって定着不良を発生する場合があり問題となっていた。また、定着ローラ１の温度が定着温度よりもかなり高温の場合、定着ローラ１が十分な熱量を蓄えているので、遮断機構部５を用いる必要がなく、仮に、そのような場合に遮断機構部５を作動すると、その遮断の際に必要とする電力が無駄となり、省電力化に反する問題があった。
【００１４】
そこで、この発明の第１の目的は、定着不良の発生を防止するとともに、省電力を図ることにある。
【００１５】
この発明の第２の目的は、一層確実に省電力を図ることにある。
【００１６】
ところで、従来、画像形成終了時、クリーニング装置が備えるクリーニングブレードの異物除去のため、像担持体を逆回転していた。
【００１７】
その逆回転時、上述した１つのメインモータを備える画像形成装置の場合、像担持体の逆回転とともに定着ローラ１や加圧ローラ２も逆回転することとなる。
【００１８】
しかし、遮断機構部５の下流側には、回転負荷トルクの大きい定着ローラ１や加圧ローラ２があるため、噛み合っている定着ギアから揺動ギア４ａが逃げる現象が発生して、ギア先端が歯飛びを起して異音を発生する問題があった。
【００１９】
そこで、この発明の第３の目的は、画像形成終了時における異音の発生を防止することにある。
【００２０】
ところで、前述した画像形成装置では、画像形成時、駆動伝達機構部４の駆動ギア３、固定ギア４ｂ、揺動ギア４ａ、不図示の定着ギアは、それらのギア同士がある程度の負荷がかかった状態で回転している。よって、その後、メインモータの駆動を停止してから、遮断機構部５を作動する場合、ギア同士に負荷が残っているため、遮断機構部５が作動しない場合があり問題となっていた。
【００２１】
そこで、この発明の第４の目的は、画像形成終了時、遮断機構部を確実に作動することができるようにすることにある。
【００２２】
この発明の第５の目的は、画像形成終了時における異音の発生を、最小限の動作で防止することにある。
【００２３】
この発明の第６の目的は、画像形成終了時における異音の発生を一層確実に防止することにある。
【００２４】
この発明の第７の目的は、画像形成開始時、遮断機構部を確実に作動することができるようにすることにある。
【００２５】
【課題を解決するための手段】
そのため、請求項１に記載の発明は、上述した第１の目的を達成すべく、
内部に熱源を備える定着回転体と、その定着回転体に押し当てる加圧回転体とを、駆動源からの駆動力を駆動伝達機構部を介して伝達してそれぞれ回転し、回転する定着回転体と加圧回転体とのニップにシート材を入れて、未定着トナーをシート材に定着する定着装置を備える画像形成装置において、
画像形成開始時の立ち上げの際、定着回転体の表面温度が所定の温度範囲外にある場合にのみ、駆動源から定着回転体への駆動力の伝達を遮断する遮断機構部を作動することを特徴とする。
【００２６】
請求項２に記載の発明は、上述した第２の目的を達成すべく、
請求項１に記載の画像形成装置において、
画像形成開始時の立ち上げの際が、メイン電源オン時、ジャム処理時、または省エネモード時からの復帰時であることを特徴とする。
【００２７】
請求項３に記載の発明は、上述した第３の目的を達成すべく、
請求項１または２に記載の画像形成装置において、
画像形成終了時、像担持体を逆回転する前に、遮断機構部を作動して、駆動源から定着回転体への駆動力の伝達を遮断することを特徴とする。
【００２８】
請求項４に記載の発明は、上述した第４の目的を達成すべく、
請求項３に記載の画像形成装置において、
画像形成終了時、像担持体をわずかに逆回転するプレ逆回転をして後、遮断機構部を作動して、駆動源から定着回転体への駆動力の伝達を遮断してから、像担持体を逆回転することを特徴とする。
【００２９】
請求項５に記載の発明は、上述した第５の目的を達成すべく、
請求項４に記載の画像形成装置において、
駆動伝達機構部が、駆動源からの駆動力を定着回転体へ伝達する噛み合い位置と、駆動力の伝達を遮断する非噛み合い位置とに揺動自在な揺動ギアと、その揺動ギアの上流側に設けて揺動ギアに噛み合う固定ギアとを備え、
プレ逆回転を、固定ギアが１ピッチ移動する時間より短い時間で行うことを特徴とする。
【００３０】
請求項６に記載の発明は、上述した第６の目的を達成すべく、
請求項１ないし５のいずれか１記載の画像形成装置において、
駆動源が、モータブレーキを備えることを特徴とする。
【００３１】
請求項７に記載の発明は、上述した第７の目的を達成すべく、
請求項１または２に記載の画像形成装置において、
画像形成開始時の立ち上げの際、像担持体をわずかに逆回転するプレ逆回転をして後、遮断機構部を作動して、駆動源から定着回転体への駆動力の伝達を遮断することを特徴とする。
【００３２】
【発明の実施の形態】
以下、図面を参照しつつ、この発明の実施の形態につき説明する。
図１には、画像形成装置の一例である電子写真方式を用いた複写機の全体概略構成を示す。
【００３３】
図中符号１００は、複写機装置本体（画像形成装置本体）である。複写機装置本体１００の上には、画像読取装置２００を取り付ける。また、画像読取装置２００の上には、背面側を支点に手前側を上下に開閉自在に自動原稿搬送装置（ＡＤＦ）３００を取り付ける。
【００３４】
複写機装置本体１００には、内部に、作像装置Ｗを備える。作像装置Ｗには、ドラム状の像担持体１０を設ける。この像担持体１０のまわりには、図中左側に配置する帯電装置１１から、像担持体１０の回転方向（反時計方向）Ａに順に、下側に現像装置１２、右斜め下側に転写装置１３、上側にクリーニング装置１４などを配置する。
【００３５】
現像装置１２には、キャリアとトナーとからなる乾式二成分現像剤を撹拌しながら現像剤担持体１２ａへと搬送する撹拌ローラ１６ａ・１６ｂ、現像剤担持体１２ａで担持する現像剤を薄層化する薄層化部材１２ｂなどを設ける。
【００３６】
このような複写機は、図示するように、例えば像担持体１０と帯電装置１１と現像装置１２とクリーニング装置１４とをカートリッジケース内に備えて一体化し、プロセスカートリッジ１５を形成する。そして、そのプロセスカートリッジ１５を、複写機装置本体１００に対して例えば正面側から出し入れして一括して着脱自在とする。
【００３７】
そのようなプロセスカートリッジ１５の図中左側には、レーザ書込装置１７を設ける。そのレーザ書込装置１７は、不図示のレーザ光源、走査用の回転多面鏡１８、ポリゴンモータ１９、ｆθレンズ等の不図示の光学部品などを備える。
【００３８】
そのような作像装置Ｗを備える複写機装置本体１００内には、ＯＨＰフィルム・用紙などのシート材を搬送するシート搬送路Ｒを備える。
【００３９】
そのシート搬送路Ｒは、複写機装置本体１００の下部に備えて、シート材Ｓを収納するシートカセット２２から、像担持体１０と転写装置１３との間の転写ニップＤを通過して、図中下方から上方へとのび、そのシート搬送路Ｒに沿って、シートカセット２２からシート材を順次上から１枚ずつ送り出す送出ローラ２３、シート材を搬送する複数のシート搬送ローラ２４、そのシート搬送ローラ２４により搬送するシート材の先端を検知するレジストセンサ２９、搬送するシート材の先端を突き当てて止めるレジストローラ２５、画像定着後のシート材を排出する排出ローラ２６などを備える。
【００４０】
また、複写機装置本体１００には、右側に、手差しシート材を載置する手差しトレイ２７を開閉自在に備え、その手差しトレイ２７からシート材を順次上から１枚ずつ送り出す送出ローラ２８を設ける。
【００４１】
そのようなシート搬送路Ｒの転写ニップＤの下流位置には、定着装置３０を備える。定着装置３０には、内部にヒータ等の熱源を備える定着ローラ（定着回転体）３１と、それに所定の圧力で押し当てる加圧ローラ（加圧回転体）３２とを設ける。
【００４２】
また、シート搬送路Ｒの排出ローラ２６の先には、画像形成済みのシート材をスタックする排出スタック部３４を設ける。
【００４３】
そのような排出スタック部３４の図中下側に設けるものは、現像装置１２に新しいトナーを補給するトナー補給装置３５である。
【００４４】
次に、画像読取装置２００には、光源３６、複数のミラー３７、結像用光学レンズ３８、ＣＣＤ等のイメージセンサ３９などを設ける。そして、画像読取装置２００の上面には、細長のコンタクトガラス４０と幅広のコンタクトガラス４１とを設ける。
【００４５】
それらのコンタクトガラス４０・４１上の自動原稿搬送装置３００には、原稿の載置位置に原稿セット台４３を設けるとともに、排出位置に原稿スタック台４４を設ける。また、原稿を、原稿セット台４３から画像読取装置２００の細長のコンタクトガラス４０上の読取位置を経て原稿スタック台４４まで搬送する原稿搬送路を備える。原稿搬送路には、原稿を搬送する原稿搬送ローラ４５を複数備える。
【００４６】
さて、いまこの複写機を用いてコピーをとるときは、不図示のメインスイッチをオンするとともに、自動原稿搬送装置３００の原稿セット台４３に原稿をセットする。ブック原稿のような場合には、自動原稿搬送装置３００を開いて画像読取装置２００の幅広のコンタクトガラス４１上に直接原稿をセットし、自動原稿搬送装置３００を閉じてそれで押える。
【００４７】
そして、不図示のスタートスイッチを押すと、自動原稿搬送装置３００の原稿セット台４３に原稿をセットしたときは、原稿を原稿搬送ローラ４５により原稿搬送路を通して、細長のコンタクトガラス４０上へと移動してから画像読取装置２００を駆動し、原稿内容を読み取って原稿を原稿スタック台４４上に排出する。一方、幅広のコンタクトガラス４１上に直接原稿をセットしたときは、直ちに画像読取装置２００を駆動する。
【００４８】
画像読取装置２００を駆動すると、画像読取装置２００は、光源３６からの光を細長のコンタクトガラス４０、または幅広のコンタクトガラス４１上の原稿面で反射し、その反射光を複数のミラー３７で反射し、結像用光学レンズ３８を経て、イメージセンサ３９に入れて、そのイメージセンサ３９で原稿内容を読み取る。
【００４９】
また、このとき同時に、不図示のメインモータで像担持体１０を回転し、まず帯電装置１１で表面を一様に例えばマイナスに帯電し、次いで上述の画像読取装置２００で読み取った原稿内容に応じてレーザ書込装置１７を作動して静電潜像を形成する。すなわち、レーザ書込装置１７が備えるポリゴンモータ１９で回転多面鏡１８を回転するとともに、不図示のレーザ光源からレーザ光Ｌを照射し、そのレーザ光Ｌが、回転多面鏡１８、不図示の光学部品などを介して像担持体１０上に入射して光書込みを行い、像担持体１０の表面に静電潜像を形成する。
【００５０】
そして、現像装置１２では、撹拌ローラ１６ａ・１６ｂで乾式二成分現像剤を撹拌しながら現像剤担持体１２ａへと搬送し、現像剤担持体１２ａに所定バイアスを印加して現像剤担持体１２ａで現像剤を担持する。その後、現像剤担持体１２ａで担持する現像剤を薄層化部材１２ｂによって薄層化して後、像担持体１０上の静電潜像へ、現像剤担持体４９で担持するトナーを付着してトナー画像を形成し、静電潜像を可視像化する。
【００５１】
また、スタートスイッチを押したとき同時に、送出ローラ２３で、シートカセット２２からシート材Ｓを順次上から１枚ずつ送り出してシート搬送路Ｒに入れ、そのシート材を、シート搬送ローラ２４で搬送して、先端をレジストセンサ２９で検知してからレジストローラ２５に突き当てて止める。
【００５２】
または、手差しシート材をセットした手差しトレイ２７から送出ローラ２８で、シート材Ｓを順次上から１枚ずつ送り出してシート搬送路Ｒに入れ、そのシート材を、シート搬送ローラ２４で搬送してからレジストローラ２５に突き当てて止める。
【００５３】
そして、上述した像担持体１０上のトナー画像にタイミングを合わせてレジストローラ２５を回転して像担持体１０へと送り込む。
【００５４】
それから、像担持体１０へと送り込んだシート材Ｓに、図示例では転写装置１３により転写ニップＤで像担持体１０上のトナー画像を転写して画像を形成する。画像転写後の像担持体１０は、クリーニング装置１４が備えるファーブラシ１４ａとクリーニングブレード１４ｂとで除去してクリーニングして、除電装置２０で像担持体１０上の残留電位を除去して帯電装置１１からはじまる次の画像形成に備える。
【００５５】
一方、画像転写後のシート材Ｓは、定着装置３０に入れ、回転する定着ローラ３１と加圧ローラ３２とのニップに入れて、それらにより熱と圧力を加えてシート材Ｓ上の未定着トナーをシート材に定着する。定着後のシート材は、シート搬送ローラ２４で搬送してから、排出ローラ２６で排出スタック部３４上に排出してそこにスタックする。
【００５６】
なお、図示する複写機は、像担持体１０のまわりに、像担持体１０上のトナー濃度を検知するＰセンサ４７を、現像装置１２に、現像装置１２内のトナー濃度を検知するＴセンサ４８をそれぞれ備える。
【００５７】
そして、それらのＰセンサ４７およびＴセンサ４８により像担持体１０上のトナー濃度を一定に保つ。
【００５８】
例えば、画像形成開始時の立ち上がりの際、像担持体１０上にトナーパターン像を形成して、Ｐセンサ４７によってトナーパターンの濃度および像担持体１０の地肌濃度を検知し、それらの検知したトナーパターンの濃度と地肌濃度によってＴセンサ４８の基準値補正、および地汚れ防止のための帯電バイアスの補正を行う。
【００５９】
一方、Ｔセンサ４８によって、現像装置１２内のトナー濃度を検知し、トナー濃度が低い場合、トナー補給装置３５を作動して、現像装置１２内に新しいトナーを補給する。
【００６０】
図２には、複写機装置本体１００内に設ける駆動伝達機構部を示す。
図中符号５０は、駆動源であるメインモータ（駆動源）である。そのメインモータは、モータブレーキを備える。モータブレーキは、メインモータ５０をオフした際など、慣性力で回転するモータギア５０ａを電気的な力によって止める。
【００６１】
画像形成装置本体１００内には、この１つのメインモータ５０の回転を、モータギア５０ａから像担持体系駆動伝達機構部５１、トナー補給系駆動伝達機構部５２、現像・定着系駆動伝達機構部５３、シート供給搬送系駆動伝達機構部５４へと伝達する。
【００６２】
像担持体系駆動伝達機構部５１は、像担持体１０を回転する。トナー補給系駆動伝達機構部５２は、トナー補給装置３５を駆動する。現像・定着系駆動伝達機構部５３は、現像装置１２を駆動し、現像装置１２の現像剤担持体１２ａ、撹拌ローラ１６ａ・１６ｂなどを回転するとともに、定着装置３０を駆動し、定着装置３０の定着ローラ３１および加圧ローラ３２を回転する。シート供給搬送系駆動伝達機構部５４は、送出ローラ２３、複数対のシート搬送ローラ２４、レジストローラ２５、排出ローラ２６、送出ローラ２８などを回転する。
【００６３】
このうち、現像・定着系駆動伝達機構部５３には、ギア列Ｇを構成する１のギア（揺動ギア）５５を、その揺動ギア５５に隣接し、上流側の固定ギア５６と、下流側のギア５７とにそれぞれ噛み合わす。
【００６４】
揺動ギア５５は、不図示の支点を中心として揺動する揺動ブラケット５８上に回転自在に設ける。揺動ブラケット５８には、アーム５９を介してソレノイド６０のプランジャ６１を連結する。これにより、遮断機構部６２を構成する。
【００６５】
そして、遮断機構部６２を作動せず、メインモータ５０から定着ローラ３０へ現像・定着系駆動伝達機構部５３を介して駆動力を伝達する場合、図３に示すように、ソレノイド６０をオフとして、揺動ブラケット５８を不図示の付勢部材で付勢して揺動ギア５５を、隣接する固定ギア５６とギア５７に押し当て、メインモータ５０からの駆動力を定着ローラ３０へ伝達する噛み合い位置とする。その後、メインモータ５０の駆動力によって定着ローラ３１および加圧ローラ３２を回転しつつ、定着ローラ３１と加圧ローラ３２とのニップにシート材を入れて、未定着トナーをシート材に定着する。
【００６６】
反対に、遮断機構部６２を作動して、メインモータ５０から定着ローラ３０へ駆動力を伝達しない場合、図４に示すように、ソレノイド６０をオンして、プランジャ６１を引き込んで揺動ブラケット５８を付勢力に抗して引き寄せ、隣接する固定ギア５６・ギア５７の少なくとも一方に対する揺動ギア５５の噛み合いを外して非噛み合い位置とする。すなわち、そのように遮断機構部６２を作動して、メインモータ５０から定着ローラ３１への駆動力の伝達を遮断する。
【００６７】
コピー時は、メインモータ５０のモータギア５０ａを時計まわりに正回転し、像担持体１０を反時計まわりに回転するとともに、定着装置３０の定着ローラ３１を反時計まわりに回転する。このとき、揺動ギア５５に隣接する固定ギア５６は、反時計まわりに回転し、反対側で隣接するギア５７との間に揺動ギア５５を食い込ませながらギア列Ｇを正回転する。
【００６８】
そのような複写機において、画像形成開始時の立ち上げの際、図５に示すように、Ｓ１では、メイン電源オン時、ジャム処理時、省エネモード時からの復帰時であるか判断する。
【００６９】
メイン電源オン時、ジャム処理時、省エネモード時からの立ち上げの際であれば、Ｓ２に進む一方、そうでなければ、Ｓ１に戻りループを形成する。
【００７０】
Ｓ２では、図１に示す定着装置３０の定着ローラ３１の表面温度が、所定の温度範囲外となっているか判断する。その所定の温度範囲とは、その範囲内に定着温度が入るようにするとともに、その定着温度に対してＬ℃低い温度（例えば１５℃）から、Ｈ℃高い温度（例えば４０℃）の範囲内とする。そして、定着ローラ３１の表面温度が、所定の温度範囲外にある場合にのみＳ３に進む一方、所定の範囲内にある場合、Ｓ４に進む。
【００７１】
Ｓ３では、図２に示す遮断機構部６２を前述したように作動して、揺動ギア５５を非噛み合い位置として、メインモータ５０から定着ローラ３１への駆動力の伝達を遮断してから、Ｓ４に進む。
【００７２】
Ｓ４では、メインモータ５０をオンしてから、Ｓ５に進む。
【００７３】
Ｓ５では、図１に示す像担持体１０などを回転して、像担持体１０まわりのプロセス立ち上げを実施してから、Ｓ６に進む。なお、Ｓ２において、定着装置３０が備える定着ローラ３１の表面温度が、所定の温度範囲外となっていた場合、Ｓ５では、定着ローラ３１が備える不図示の熱源もオンしてから、Ｓ６に進む。
【００７４】
Ｓ６では、プロセス立ち上げが終了したか判断する。すなわち、像担持体１０が一定時間回転したかを判断する。立ち上げが終了していれば、Ｓ７に進む一方、立ち上げが終了していなければ、ループを形成してＳ５に戻る。なお、Ｓ２において、定着装置３０が備える定着ローラ３１の表面温度が、所定の温度範囲外となっていた場合、Ｓ６では、定着ローラ３１の表面温度が、所定の温度範囲内となっているかを判断する。所定の温度範囲内となっていればＳ７に進む一方、所定の温度範囲内となっていなければ、ループを形成してＳ５に戻る。
【００７５】
Ｓ７では、メインモータ５０をオフして、像担持体１０などの回転を停止してから、Ｓ８に進む。
【００７６】
Ｓ８では、図２に示す遮断機構部６２の作動を前述したように解除して、揺動ギア５５を噛み合い位置として、メインモータ５０から定着ローラ３１への駆動力の伝達を可能としてから、画像形成スタンバイが完了する。
【００７７】
よって、画像形成開始時の立ち上げの際、定着ローラ３１の表面温度が所定の温度の範囲外にある場合のみ、メインモータ５０から定着ローラ３１への駆動力の伝達を遮断する遮断機構部６２を作動するので、例えば定着ローラ３１の温度が所定の温度の範囲内であって定着温度よりもかなり高温の場合、遮断機構部６２を作動することなしに画像形成開始とするから、不必要な遮断機構部６２の作動をなくして省電力を図ることができる。
【００７８】
なお、そのような複写機において、画像形成開始時の立ち上げの際、図６に示すタイムチャートのようにしても良い。
【００７９】
図示するように、先ず、複写機が備える不図示の制御装置からメインモータ５０へ信号を送信して、図２に示すメインモータ５０の回転方向を、正回転である時計まわり（ＣＷ（ｃｌｏｃｋ  ｗｉｓｅ））から、逆回転である反時計まわり（ＣＣＷ（ｃｏｕｎｔｅｒ  ｃｌｏｃｋ  ｗｉｓｅ））に変更する。
【００８０】
次に、メインモータ５０をオンして、像担持体１０をわずかに逆回転するプレ逆回転を開始する。
【００８１】
次いで、所定時間経過後、メインモータ５０が備えるモータブレーキをオン（作動）して後、ただちにメインモータ５０をオフして、プレ逆回転を終了する。
【００８２】
次に、図２に示す揺動ギア５５の回転が停止して後、遮断機構部６２を作動して、揺動ギア５５を非噛み合い位置として、メインモータ５０から定着ローラ３１への駆動力の伝達を遮断する。
【００８３】
次いで、モータブレーキをオフし、制御装置からメインモータ５０へ信号を送信して、メインモータ５０の回転方向を、逆回転である反時計まわり（ＣＣＷ）から、正回転である反時計まわり（ＣＣＷ）へ変更する。
【００８４】
次に、メインモータ５０をオンして、像担持体１０などを回転して、像担持体１０まわりのプロセス立ち上げを開始する。
【００８５】
次いで、像担持体１０を一定時間回転してから、メインモータ５０をオフしてプロセス立ち上げを終了する。
【００８６】
次に、メインモータ５０のモータブレーキをオンして、像担持体１０の回転を完全に停止して後、モータブレーキをオフする。
【００８７】
最後に、図２に示す揺動ギア５５の回転が停止して後、遮断機構部６２の作動を止めて、揺動ギア５５を噛み合い位置として、メインモータ５０から定着ローラ３１への駆動力の伝達を可能として、画像形成スタンバイ完了とする。
【００８８】
よって、画像形成開始時の立ち上げの際、プレ逆回転をしてから遮断機構部６２を作動してメインモータ５０から定着ローラ３１への駆動力の伝達を遮断するので、画像形成開始時、固定ギア５６、揺動ギア５５、ギア５７などのギア同士に残る負荷をプレ逆回転して取り除いてから遮断機構部６２を作動するから、遮断機構部６２を確実に作動することができる。
【００８９】
ところで、そのような複写機において、画像形成終了時のタイミングチャートを図７に、フローチャートを図８に示す。
【００９０】
先ず、図７に示すように、画像形成後、メインモータ５０が備えるモータブレーキを作動してから、メインモータ５０をオフする。
【００９１】
その後、図１に示す像担持体１０の回転が停止して後、モータブレーキをオフする。
【００９２】
次に、図８に示すＳ４０では、像担持体１０の回転が停止状態となっていれば、メインモータ５０逆回転動作に移行し、Ｓ４１に進む一方、像担持体１０の回転が停止状態となっていなければ、ループを形成してＳ４０に戻る。
【００９３】
Ｓ４１では、制御装置からメインモータ５０へ信号を送信して、図２に示すメインモータ５０の回転方向を、正回転である時計まわり（ＣＷ）から、逆回転である反時計まわり（ＣＣＷ）に変更する。
【００９４】
Ｓ４２では、メインモータ５０をオンして、図１に示す像担持体１０の逆回転を始めて、像担持体１０をわずかに逆回転するプレ逆回転を開始してから、Ｓ４３へ進む。
【００９５】
Ｓ４３では、メインモータ５０のモータブレーキをオンしてから、Ｓ４４へ進む。
【００９６】
Ｓ４４では、メインモータ５０をオフして、プレ逆回転を終了してから、Ｓ４５に進む。なお、プレ逆回転は、図２に示す固定ギア５６が１ピッチ移動する時間より短い時間で行うことが好ましい。
【００９７】
Ｓ４５では、図２に示す揺動ギア５５の回転が停止して後、遮断機構部６２を作動する。すなわち、ソレノイド６０をオンして、揺動ギア５５を非噛み合い位置として、メインモータ５０から定着ローラ３１への駆動力の伝達を遮断してから、Ｓ４６へ進む。
【００９８】
Ｓ４６では、メインモータ５０のモータブレーキをオフしてから、Ｓ４７に進む。
【００９９】
Ｓ４７では、メインモータ５０をオンして、図１に示す像担持体１０を逆回転して、クリーニング装置１４のクリーニングブレード１４ｂに付着した異物の除去を開始してから、Ｓ４８に進む。
【０１００】
Ｓ４８では、モータブレーキをオンしてから、Ｓ４９に進む。
【０１０１】
Ｓ４９では、メインモータ５０をオフして、クリーニングブレード１４ｂの異物除去を終了してから、Ｓ５０に進む。
【０１０２】
Ｓ５０では、モータブレーキをオフし、制御装置からメインモータ５０へ信号を送信して、メインモータ５０の回転方向を、逆回転である反時計まわり（ＣＣＷ）から、正回転である時計まわり（ＣＷ）に変更してから、Ｓ５１に進む。
【０１０３】
Ｓ５１では、遮断機構部６２の作動を止める。すなわち、図２に示すソレノイド６０をオフして、揺動ギア５５を噛み合い位置として、メインモータ５０から定着ローラ３１へ駆動力の伝達を可能として、終了動作が完了する。
【０１０４】
よって、画像形成終了時、像担持体１０を逆回転する前に、遮断機構部６２を作動して、メインモータ５０から定着ローラ３１への駆動力の伝達を遮断するので、クリーニング装置１４の異物除去のための像担持体１０の逆回転時、定着ローラ３１を逆回転することをなくすから、画像形成終了時における異音の発生を防止することができる。
【０１０５】
加えて、画像形成終了時、像担持体１０をわずかに逆回転するプレ逆回転をして後、遮断機構部６２を作動して、メインモータ５０から定着ローラ３１への駆動力の伝達を遮断してから、像担持体１０を逆回転するので、現像・定着系駆動伝達機構部５３に残る負荷をプレ逆回転して取り除いてから遮断機構部６２を作動することにより、遮断機構部６２を確実に作動することができる。
【０１０６】
さらに加えて、現像・定着系駆動伝達機構部５３が、メインモータ５０からの駆動力を定着ローラへ伝達する噛み合い位置と、駆動力の伝達を遮断する非噛み合い位置とに揺動自在な揺動ギア５５と、その揺動ギア５５の上流側に設けて揺動ギア５５に噛み合う固定ギア５６とを備え、プレ逆回転を、固定ギア５６が１ピッチ移動する時間より短い時間で行うので、画像形成終了時における異音の発生を、最小限の動作で防止することができる。
【０１０７】
【発明の効果】
以上説明したとおり、請求項１に係る発明によれば、画像形成開始時の立ち上げの際、定着回転体の表面温度が所定の温度範囲外にある場合にのみ、駆動源から定着回転体への駆動力の伝達を遮断する遮断機構部を作動するので、例えば定着回転体の温度が所定の温度の範囲内であって定着温度よりもかなり高温の場合、遮断機構部を作動することなしに画像形成開始とするから、不必要な遮断機構部の作動をなくして省電力を図ることができる。
【０１０８】
加えて、遮断機構部の作動を止める温度を例えば定着温度よりも高くして、定着回転体の表面温度を高くすることが可能であるので、実際の画像形成動作で定着回転体の表面温度が定着温度よりも下がることを防止できるから、定着不良が発生することを防止することができる。
【０１０９】
さらに加えて、画像形成開始時の立ち上がりの際、定着回転体の表面温度が所定の温度の範囲外にある場合、遮断機構部を作動して駆動源から定着回転体への駆動力の伝達を遮断して定着回転体を回転しないから、熱源によって加えた定着回転体の熱が加圧回転体に奪われることを最小限に抑えることができ、定着回転体の表面温度を短時間で上昇して、迅速に定着装置を立ち上げることができるから、画像形成スタンバイまでの時間を短縮することができる。
【０１１０】
請求項２に係る発明によれば、画像形成開始時の立ち上げの際が、メイン電源オン時、ジャム処理時、または省エネモード時からの復帰時であるので、メイン電源オフして後ただちにオンした場合、短時間でジャム処理ができた場合、省エネモード時となって後ただちに画像形成する場合などにおいて、定着回転体の表面温度が所定の温度の範囲内であって定着温度よりもかなり高温の場合、遮断機構部を作動することなしに画像形成開始とできることにより、不必要な遮断機構部の作動をなくして、一層確実に省電力を図ることができる。
【０１１１】
請求項３に係る発明によれば、画像形成終了時、像担持体を逆回転する前に、遮断機構部を作動して駆動源から定着回転体への駆動力の伝達を遮断するので、クリーニング装置の異物除去のための像担持体の逆回転時、定着回転体を逆回転することをなくすから、画像形成終了時における異音の発生を防止することができる。
【０１１２】
請求項４に係る発明によれば、画像形成終了時、像担持体をわずかに逆回転するプレ逆回転をして後、遮断機構部を作動して、駆動源から定着回転体への駆動力の伝達を遮断してから、像担持体を逆回転するので、駆動伝達機構部に残る負荷をプレ逆回転して取り除いてから遮断機構部を作動することにより、遮断機構部を確実に作動することができる。
【０１１３】
請求項５に係る発明によれば、駆動伝達機構部が、駆動源からの駆動力を定着回転体へ伝達する噛み合い位置と、駆動力の伝達を遮断する非噛み合い位置とに揺動自在な揺動ギアと、その揺動ギアの上流側に設けて揺動ギアに噛み合う固定ギアとを備え、プレ逆回転を、固定ギアが１ピッチ移動する時間より短い時間で行うので、画像形成終了時における異音の発生を、最小限の動作で防止することができる。
【０１１４】
請求項６に係る発明によれば、駆動源が、モータブレーキを備えるので、像担持体を逆回転する際、またはプレ逆回転をする際、モータブレーキをオンして慣性力で回り続けようとする駆動源を完全に停止して、確実に遮断機構部を作動することができるから、画像形成終了時における異音の発生を、一層確実に防止することができる。
【０１１５】
請求項７に係る発明によれば、画像形成開始時の立ち上げの際、像担持体をわずかに逆回転するプレ逆回転をして後、遮断機構部を作動して、駆動源から定着回転体への駆動力の伝達を遮断するので、画像形成開始時、ギア同士に残る負荷をプレ逆回転して取り除いてから遮断機構部を作動するから、遮断機構部を確実に作動することができる。
【図面の簡単な説明】
【図１】この発明による複写機（画像形成装置）の全体概略構成図である。
【図２】その複写機装置本体内に設ける駆動伝達機構部の説明図である。
【図３】その複写機が備える遮断機構部の作動を止めた場合の説明である。
【図４】その遮断機構部を作動した場合の説明図である。
【図５】その複写機の画像形成開始時のフローチャートの一例である。
【図６】その複写機の画像形成開始時のタイミングチャートの一例である。
【図７】その複写機の画像形成終了時のタイミングチャートの一例である。
【図８】そのフローチャートである。
【図９】従来の画像形成装置の一部の概略構成図である。
【符号の説明】
１０    像担持体
１４    クリーニング装置
３０    定着装置
３１    定着ローラ（定着回転体）
３２    加圧ローラ（加圧回転体）
５０    メインモータ（駆動源）
５３    現像・定着系駆動伝達機構部（駆動伝達機構部）
５５    揺動ギア
５６    固定ギア
６２    遮断機構部
【図１】
2004252403.tif 000003
【図２】
2004252403.tif 000004
【図３】
2004252403.tif 000005
【図４】
2004252403.tif 000006
【図５】
2004252403.tif 000007
【図６】
2004252403.tif 000008
【図７】
2004252403.tif 000009
【図８】
2004252403.tif 000010
【図９】
2004252403.tif 000011